(57)【特許請求の範囲】
【請求項１】
頭部装着型表示装置であって、
画像データを用いて画像を表す画像光を生成し、射出させる画像光生成部と、射出された前記画像光を使用者の眼に導く導光部と、を有し、使用者に虚像を視認させるための画像表示部と、
前記画像表示部に前記画像データを送信し、前記画像表示部による画像表示を制御する制御部と、
前記画像表示部と、前記制御部とを有線接続し、前記画像表示部と前記制御部との間で送受信されるデータを中継する中継部と、
前記画像表示部と前記中継部のうちのいずれか一方に配置された非可視光を射出可能な発光部と、
他方に配置された射出された前記非可視光を受光する受光部と、
前記受光部からの出力信号を用いて、前記中継部に配置されている前記受光部または前記中継部に配置されている前記発光部に対する前記画像表示部の向きを検知する向き検知部と、
を備える、頭部装着型表示装置。
【請求項２】
請求項１記載の頭部装着型表示装置であって、
前記向き検知部は、
前記受光部からの出力信号が示す前記非可視光の輝度を用いて、予め定められた基準点に対する、前記画像表示部の鉛直方向と水平方向との少なくともいずれか一方の移動量を求めることによって、前記画像表示部の向きを検知する、頭部装着型表示装置。
【請求項３】
請求項１または２記載の頭部装着型表示装置であって、
前記制御部は、さらに、
検知された前記画像表示部の向きに応じて、前記画像データから一部をトリミングして前記画像を生成するように前記画像表示部を制御する、頭部装着型表示装置。
【請求項４】
請求項１ないし３のいずれか一項記載の頭部装着型表示装置であって、
前記発光部は、赤外線を射出する赤外線発光部であり、
前記受光部は、射出された前記赤外線を受光する赤外線受光部である、頭部装着型表示装置。
【請求項５】
請求項１ないし４のいずれか一項記載の頭部装着型表示装置であって、
前記中継部はケーブル状であり、
前記発光部は、波長の異なる前記非可視光を射出可能な２つの発光部を含み、前記２つの発光部は、前記画像表示部の本体表面であって、前記受光部の側に前記非可視光を射出可能な位置にそれぞれ配置され、
前記受光部は、射出された波長の異なる前記非可視光をそれぞれ受光可能であり、前記受光部は、ケーブル状である前記中継部の中央部またはその周辺であって、前記発光部に向かう位置に配置される、頭部装着型表示装置。
【請求項６】
請求項１ないし４のいずれか一項記載の頭部装着型表示装置であって、
前記中継部はケーブル状であり、
前記発光部は、前記画像表示部の本体表面であって、前記受光部の側に前記非可視光を射出可能な位置に配置され、
前記受光部は、ケーブル状である前記中継部の中央部またはその周辺であって、前記発光部に向かう位置に配置される、頭部装着型表示装置。
【発明の詳細な説明】
【技術分野】
【０００１】
本発明は、頭部に装着する表示装置である頭部装着型表示装置および頭部装着型表示装置の制御方法に関する。
【背景技術】
【０００２】
頭部に装着する表示装置である頭部装着型表示装置（ヘッドマウントディスプレイ（Head Mounted Display、ＨＭＤ））が知られている。頭部装着型表示装置は、例えば、液晶ディスプレイおよび光源を利用して画像を表す画像光を生成し、生成された画像光を投写光学系や導光板を利用して使用者の眼に導くことにより、使用者に虚像を認識させる。
【０００３】
上述のようなヘッドマウントディスプレイにおいて、使用者の顔の向きの変化を検知するため角速度センサーを搭載し、角速度センサーの検知結果に基づいて表示手段に出力する画像をトリミングする技術が知られている（例えば、特許文献１）。
【先行技術文献】
【特許文献】
【０００４】
【特許文献１】特開２００７−２１９０６９号公報
【発明の概要】
【発明が解決しようとする課題】
【０００５】
しかし、ヘッドマウントディスプレイは人間の頭部に装着されて使用される表示装置であるため、角速度センサーを搭載することに伴う装置の重量の増加や装置の大型化は、ヘッドマウントディスプレイの装着感を悪くするという問題があった。
【０００６】
本発明は、使用者の頭の向きを検知可能であり、かつ、装着感の良い頭部装着型表示装置を提供することを目的とする。
【課題を解決するための手段】
【０００７】
本発明は、上述の課題の少なくとも一部を解決するためになされたものであり、以下の形態又は適用例として実現可能である。頭部装着型表示装置であって、画像データを用いて画像を表す画像光を生成し、射出させる画像光生成部と、射出された前記画像光を使用者の眼に導く導光部と、を有し、使用者に虚像を視認させるための画像表示部と、前記画像表示部に前記画像データを送信し、前記画像表示部による画像表示を制御する制御部と、前記画像表示部と、前記制御部とを有線接続し、前記画像表示部と前記制御部との間で送受信されるデータを中継する中継部と、前記画像表示部と前記中継部のうちのいずれか一方に配置された非可視光を射出可能な発光部と、他方に配置された射出された前記非可視光を受光する受光部と、前記受光部からの出力信号を用いて、前記中継部に配置されている前記受光部または前記中継部に配置されている前記発光部に対する前記画像表示部の向きを検知する向き検知部と、を備える、頭部装着型表示装置。そのほか、本発明は、以下の形態又は適用例として実現することが可能である。
【０００８】
［適用例１］
頭部装着型表示装置であって、
画像データを用いて画像を表す画像光を生成し、射出させる画像光生成部と、射出された前記画像光を使用者の眼に導く導光部と、を有し、使用者に虚像を視認させるための画像表示部と、
前記画像表示部に前記画像データを送信し、前記画像表示部による画像表示を制御する制御部と、
前記画像表示部と、前記制御部を中継する中継部と、
前記画像表示部と前記中継部のうちのいずれか一方に配置された非可視光を射出可能な発光部と、
他方に配置された射出された前記非可視光を受光する受光部と、
前記受光部からの出力信号を用いて前記画像表示部の前記受光部に対する向きを検知する向き検知部と、
を備える、頭部装着型表示装置。
このような構成とすれば、画像表示部と中継部のうちのいずれか一方には非可視光を射出可能な発光部を有し、他方には射出された非可視光を受光可能な受光部を有し、向き検知部は、受光部からの出力信号を用いて画像表示部の受光部に対する向きを検知するため、頭部装着型表示装置は、発光部と受光部のみの簡単な構成で画像表示部の向き（すなわち、使用者の頭の向き）を検知することができる。この結果、使用者の頭の向きを検知可能であり、かつ、頭部装着型表示装置の重量の増加や大型化を抑制することで装着感の良い頭部装着型表示装置を提供することができる。  
【０００９】
［適用例２］
適用例１記載の頭部装着型表示装置であって、
前記向き検知部は、
前記受光部からの出力信号が示す前記非可視光の輝度を用いて、予め定められた基準点に対する、前記画像表示部の鉛直方向と水平方向との少なくともいずれか一方の移動量を求めることによって、前記画像表示部の向きを検知する、頭部装着型表示装置。
このような構成とすれば、向き検知部は、受光部からの出力信号が示す前記非可視光の輝度を用いて、画像表示部の向き（すなわち、使用者の頭の向き）を検知することができる。
【００１０】
［適用例３］
適用例１または２記載の頭部装着型表示装置であって、
前記制御部は、さらに、
検知された前記画像表示部の向きに応じて、前記画像データから一部をトリミングして前記画像を生成するように前記画像表示部を制御する、頭部装着型表示装置。
このような構成とすれば、制御部は、検知された画像表示部の向きに応じて、画像データから一部をトリミングして画像を生成するように画像表示部を制御するため、画像表示部の向き（すなわち、使用者の頭の向き）に応じて、使用者に視認させる虚像を変化させることができる。
【００１１】
［適用例４］
適用例１ないし３のいずれか一項記載の頭部装着型表示装置であって、
前記発光部は、赤外線を射出する赤外線発光部であり、
前記受光部は、射出された前記赤外線を受光する赤外線受光部である、頭部装着型表示装置。
このような構成とすれば、発光部として赤外線を射出する赤外線発光部を用い、受光部として射出された赤外線を受光する赤外線受光部を用いるため、適用例１ないし３のいずれか一項記載の頭部装着型表示装置を低コストで実現することができる。
【００１２】
［適用例５］
適用例１ないし４のいずれか一項記載の頭部装着型表示装置であって、
前記中継部はケーブル状であり、
前記発光部は、波長の異なる前記非可視光を射出可能な２つの発光部を含み、前記２つの発光部は、前記画像表示部の本体表面であって、前記受光部の側に前記非可視光を射出可能な位置にそれぞれ配置され、
前記受光部は、射出された波長の異なる前記非可視光をそれぞれ受光可能であり、前記受光部は、ケーブル状である前記中継部の中央部またはその周辺であって、前記発光部に向かう位置に配置される、頭部装着型表示装置。
このような構成とすれば、受光部は、画像表示部の本体表面であって、受光部の側に非可視光を射出可能な位置にそれぞれ配置された２つの発光部から射出された波長の異なる非可視光をそれぞれ受光することができるため、向き検知部は、受光部からの出力信号を用いて、画像表示部（すなわち、使用者の頭）の上下左右方向の向きを検知することが可能となる。
【００１３】
［適用例６］
適用例１ないし４のいずれか一項記載の頭部装着型表示装置であって、
前記中継部はケーブル状であり、
前記発光部は、前記画像表示部の本体表面であって、前記受光部の側に前記非可視光を射出可能な位置に配置され、
前記受光部は、ケーブル状である前記中継部の中央部またはその周辺であって、前記発光部に向かう位置に配置される、頭部装着型表示装置。
このような構成とすれば、発光部は、画像表示部の本体表面であって、受光部の側に非可視光を射出可能な位置に１つ配置すればよいため、適用例１ないし４のいずれか一項記載の頭部装着型表示装置をより低コストで実現することができる。
【００１４】
なお、本発明は、種々の態様で実現することが可能であり、例えば、頭部装着型表示装置および頭部装着型表示装置の制御方法、頭部装着型表示システム、これらの方法、装置またはシステムの機能を実現するためのコンピュータープログラム、そのコンピュータープログラムを記録した記録媒体等の形態で実現することができる。
【図面の簡単な説明】
【００１５】
【図１】本発明の一実施例における頭部装着型表示装置の外観の構成を示す説明図である。
【図２】ヘッドマウントディスプレイの構成を機能的に示すブロック図である。
【図３】画像光生成部によって画像光が射出される様子を示す説明図である。
【図４】使用者に認識される虚像の一例を示す説明図である。
【図５】基準情報（図２）の一例を示す説明図である。
【図６】基準情報を説明するための説明図である。
【図７】基準情報を説明するための他の説明図である。
【図８】受光部による赤外線ＲＲ,ＲＬの検出値と画像表示部の移動量の関係の一例を示すグラフである。
【図９】向き判定処理の手順を示すフローチャートである。
【図１０】画像表示部の向きに応じて行われる制御の一例を示す説明図である。
【図１１】第２実施例におけるヘッドマウントディスプレイの外観の構成を示す説明図である。
【図１２】第２実施例における基準情報（図２）の一例を示す説明図である。
【図１３】第３実施例におけるヘッドマウントディスプレイの外観の構成を示す説明図である。
【図１４】受光部が赤外線ＲＭを受光する様子を示す説明図である。
【図１５】変形例におけるヘッドマウントディスプレイの構成を機能的に示すブロック図である。
【発明を実施するための形態】
【００１６】
次に、本発明の実施の形態を実施例に基づいて以下の順序で説明する。
【００１７】
Ａ．第１実施例：
（Ａ−１）頭部装着型表示装置の構成：
図１は、本発明の一実施例における頭部装着型表示装置の外観の構成を示す説明図である。頭部装着型表示装置ＨＭは、頭部に装着する表示装置であり、ヘッドマウントディスプレイ（Head Mounted Display、ＨＭＤ）とも呼ばれる。本実施例のヘッドマウントディスプレイＨＭは、使用者が、虚像を視認すると同時に外景も直接視認可能な光学透過型の頭部装着型表示装置である。
【００１８】
ヘッドマウントディスプレイＨＭは、使用者の頭部に装着された状態において使用者に虚像を視認させる画像表示部２０と、画像表示部２０を制御する制御部（コントローラー）１０とを備えている。
【００１９】
画像表示部２０は、使用者の頭部に装着される装着体であり、本実施例では眼鏡形状を有している。画像表示部２０は、耳掛部２１と、右表示駆動部２２と、左表示駆動部２４と、右光学パネル２６と、左光学パネル２８と、右発光部６１と、左発光部６２とを含んでいる。耳掛部２１は、右表示駆動部２２および左表示駆動部２４の端部から使用者の耳の上を横断するように設けられた部材であり、テンプル（つる）として機能する。右光学パネル２６および左光学パネル２８は、使用者が画像表示部２０を装着した状態においてそれぞれ使用者の右および左の眼の前に位置するように配置されている。右表示駆動部２２は、右耳用の耳掛部２１と右光学パネル２６との接続箇所に配置されている。また、左表示駆動部２４は、左耳用の耳掛部２１と左光学パネル２８との接続箇所に配置されている。なお、以降では、右表示駆動部２２および左表示駆動部２４を総称して単に「表示駆動部」と、右光学パネル２６および左光学パネル２８を総称して単に「光学パネル」とも呼ぶ。
【００２０】
右発光部６１は、画像表示部２０の本体表面であって、受光部６３の側に非可視光を射出可能な位置に配置されている。具体的には、本実施例では、右発光部６１は、右光学パネル２６（右導光板２６１）を形成する筐体の表面であって、使用者の右側の眼またはこめかみまたはそれらの周辺を覆う位置（換言すれば、眼鏡形状を有する画像表示部２０の右側の智部分またはその周辺位置）に配置されている。左発光部６２も同様に、画像表示部２０の本体表面であって、受光部６３の側に非可視光を射出可能な位置に配置されている。具体的には、本実施例では、左発光部６２は、左光学パネル２８（左導光板２６２）を形成する筐体の表面であって、使用者の左側の眼またはこめかみまたはそれらの周辺を覆う位置（換言すれば、眼鏡形状を有する画像表示部２０の左側の智部分またはその周辺位置）に配置されている。
【００２１】
右発光部６１および左発光部６２は、それぞれ、波長の異なる非可視光を射出する。本実施例における右発光部６１および左発光部６２は、赤外線発光ダイオードにより構成され、非可視光である赤外線ＲＲおよび赤外線ＲＬを発光する。赤外線ＲＲと、赤外線ＲＬとは、波長の異なる赤外線光である。なお、右発光部６１と、左発光部６２とを総称して単に「発光部」とも呼ぶ。
【００２２】
表示駆動部は、図示しないＬＣＤ（Liquid Crystal Display：液晶ディスプレイ）や、投写光学系等を含む。詳細は後述する。光学パネルは、図示しない導光板と、調光板とを含んでいる。導光板は、光透過性の樹脂材料等によって形成され、表示駆動部から取り込んだ画像光を使用者の眼に向けて射出させる。調光板は、薄板状の光学素子であり、前面側（使用者の眼の側とは反対の側）を覆うように配置されている。調光板は、導光板を保護し、導光板の損傷や、汚れの付着等を抑制するとともに、調光板の光透過率を調整することにより、使用者の眼に入る外光量を調整し、虚像の視認のしやすさを調整することができる。なお、調光板は省略可能である。
【００２３】
画像表示部２０は、さらに、右耳用の右イヤホン３２および左耳用の左イヤホン３４を有する。右イヤホン３２および左イヤホン３４は、使用者が画像表示部２０を装着した際に、それぞれ右および左の耳に装着される。
【００２４】
画像表示部２０は、さらに、画像表示部２０を制御部１０に接続し、中継するための中継部４０を有している。中継部４０は、ケーブル状であって、制御部１０に接続される本体コード４８と、本体コード４８が２本に分岐した右コード４２と、左コード４４と、ケーブル状の中継部４０の中央部周辺の分岐点に設けられた中継部本体４６と、受光部６３とを含んでいる。右コード４２は、右表示駆動部２２に接続されており、左コード４４は、左表示駆動部２４に接続されている。画像表示部２０と制御部１０とは、中継部４０を介して各種信号の伝送を行う。本体コード４８における中継部本体４６とは反対側の端部と、制御部１０とのそれぞれには、互いに嵌合するコネクター（図示省略）が設けられており、本体コード４８コネクターと制御部１０のコネクターとの嵌合／嵌合解除により、制御部１０と画像表示部２０とが接続されたり切り離されたりする。右コード４２と、左コード４４と、本体コード４８には、例えば、金属ケーブルや、光ファイバーを採用することができる。
【００２５】
中継部本体４６のうち、発光部６１、６２に向かう位置（換言すれば、中継部本体４６の上面、中継部本体４６が右コード４２および左コード４４と接続されている側の面）には、受光部６３が配置されている。受光部６３は、２つの発光部（右発光部６１および左発光部６２）から射出された波長の異なる非可視光をそれぞれ受光する。本実施例における受光部６３は、赤外線フォトダイオードを用いて構成され、右発光部６１および左発光部６２から射出された赤外線ＲＲと赤外線ＲＬとをそれぞれ受光する。さらに、中継部本体４６の筐体側面、換言すれば、受光部６３が設けられている面と直交する面には、図示しないクリップが設けられている。このクリップは、例えば、観察者がヘッドマウントディスプレイＨＭを装着した状態で、観察者の衣服等に留めておくことで、中継部本体４６を保持する。
【００２６】
制御部１０は、ヘッドマウントディスプレイＨＭを操作するための装置である。制御部１０は、点灯部１２と、タッチパッド１４と、十字キー１６と、電源スイッチ１８とを含んでいる。点灯部１２は、ヘッドマウントディスプレイＨＭの動作状態（例えば、電源のＯＮ／ＯＦＦ等）を、その発光状態によって通知する。点灯部１２としては、例えば、ＬＥＤ（Light Emitting Diode）を用いることができる。タッチパッド１４は、タッチパッド１４の操作面上での使用者の指の操作を検出して、検出内容に応じた信号を出力する。十字キー１６は、上下左右方向に対応するキーへの押下操作を検出して、検出内容に応じた信号を出力する。電源スイッチ１８は、スイッチのスライド操作を検出することで、ヘッドマウントディスプレイＨＭの電源投入状態を切り替える。
【００２７】
図２は、ヘッドマウントディスプレイＨＭの構成を機能的に示すブロック図である。制御部１０は、受光部６３と、入力情報取得部１１０と、記憶部１２０と、電源１３０と、ＣＰＵ１４０と、インターフェイス１８０と、送信部（Ｔｘ）５１および５２と、を備え、各部は図示しないバスにより相互に接続されている。
【００２８】
受光部６３は、右発光部６１および左発光部６２から射出された非可視光（赤外線ＲＲ、ＲＬ）をそれぞれ受光し、受光した赤外線ＲＲ、ＲＬの輝度に応じた赤外線輝度信号を向き検知部１４５へ出力する。入力情報取得部１１０は、使用者による操作入力に応じた信号（例えば、タッチパッド１４や十字キー１６、電源スイッチ１８に対する操作入力）を取得する機能を有する。記憶部１２０は、図示しないＲＯＭ、ＲＡＭ、ＤＲＡＭ、ハードディスク等を含む記憶部である。記憶部１２０は、基準情報ＣＩを含んでいる。基準情報ＣＩは、向き検知部１４５が画像表示部２０の向きを検知するために用いる情報である。詳細は後述する。電源１３０は、ヘッドマウントディスプレイＨＭの各部に電力を供給する。電源１３０としては、例えば二次電池を用いることができる。
【００２９】
ＣＰＵ１４０は、予めインストールされたプログラムを実行することで、オペレーティングシステム（ОＳ）１５０としての機能を提供する。また、ＣＰＵ１４０は、ＲＯＭやハードディスクに格納されているファームウェアやコンピュータープログラムをＲＡＭに展開して実行することにより、向き検知部１４５、画像処理部１６０、音声処理部１７０、表示制御部１９０としても機能する。これら各部の詳細は後述する。
【００３０】
向き検知部１４５は、右発光部６１、左発光部６２、受光部６３の駆動を制御すると共に、受光部６３からの出力信号を用いて、画像表示部２０の受光部６３に対する向きを検知する処理（向き判定処理）を実行する。向き判定処理の詳細は後述する。
【００３１】
インターフェイス１８０は、制御部１０に対して、コンテンツの供給元となる種々の外部機器ＯＡ（例えば、パーソナルコンピューターＰＣや携帯電話端末、ゲーム端末）を接続するためのインターフェイスである。インターフェイス１８０としては、例えば、ＵＳＢインターフェイスや、マイクロＵＳＢインターフェイス、メモリーカード用インターフェイス、無線ＬＡＮインターフェイス等を備えることができる。また、コンテンツとは、画像（静止画像、動画像）や音声等からなる情報内容を意味する。
【００３２】
画像処理部１６０は、インターフェイス１８０を介して入力されるコンテンツに基づき、クロック信号ＰＣＬＫ、垂直同期信号ＶＳｙｎｃ、水平同期信号ＨＳｙｎｃ、画像データＤａｔａを生成し、中継部４０を介してこれらの信号を画像表示部２０に供給する。具体的には、画像処理部１６０は、コンテンツに含まれる画像信号を取得する。取得した画像信号は、例えば動画像の場合、一般的に、１秒あたり３０枚のフレーム画像から構成されているアナログ信号である。画像処理部１６０は、取得した画像信号から、垂直同期信号ＶＳｙｎｃや水平同期信号ＨＳｙｎｃ等の同期信号を分離する。また、画像処理部１６０は、分離した垂直同期信号ＶＳｙｎｃや水平同期信号ＨＳｙｎｃの周期に応じて、図示しないＰＬＬ回路等を利用してクロック信号ＰＣＬＫを生成する。
【００３３】
画像処理部１６０は、同期信号が分離されたアナログ画像信号を、図示しないＡ／Ｄ変換回路等を用いてデジタル画像信号に変換する。その後、画像処理部１６０は、変換後のデジタル画像信号を、対象画像の画像データＤａｔａ（ＲＧＢデータ）として、１フレームごとに記憶部１２０内のＤＲＡＭに格納する。なお、画像処理部１６０は、必要に応じて、画像データに対して、解像度変換処理、輝度や彩度の調整といった種々の色調補正処理、キーストーン補正処理等の画像処理を実行してもよい。
【００３４】
画像処理部１６０は、生成したクロック信号ＰＣＬＫ、垂直同期信号ＶＳｙｎｃ、水平同期信号ＨＳｙｎｃと、記憶部１２０内のＤＲＡＭに格納された画像データＤａｔａとを、送信部５１および５２を介してそれぞれ送信する。なお、送信部５１を介して送信される画像データＤａｔａを「右眼用画像データ」とも呼び、送信部５２を介して送信される画像データＤａｔａを「左眼用画像データ」とも呼ぶ。送信部５１、５２は、制御部１０と、画像表示部２０との間におけるシリアル伝送のためのトランシーバーとして機能する。
【００３５】
表示制御部１９０は、右表示駆動部２２および左表示駆動部２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦ、などを個別に制御することにより、右表示駆動部２２および左表示駆動部２４のそれぞれによる画像光の生成および射出を制御する。例えば、表示制御部１９０は、右表示駆動部２２および左表示駆動部２４の両方に画像光を生成させたり、一方のみに画像光を生成させたり、両方共に画像光を生成させなかったりする。
【００３６】
表示制御部１９０は、右ＬＣＤ制御部２１１と左ＬＣＤ制御部２１２とに対する制御信号を、送信部５１および５２を介してそれぞれ送信する。また、表示制御部１９０は、右バックライト制御部２０１と左バックライト制御部２０２とに対する制御信号を、それぞれ送信する。
【００３７】
音声処理部１７０は、コンテンツに含まれる音声信号を取得し、取得した音声信号を増幅して、画像表示部２０の右イヤホン３２および左イヤホン３４に中継部４０を介して供給する。
【００３８】
画像表示部２０は、右表示駆動部２２と、左表示駆動部２４と、右光学パネル２６としての右導光板２６１と、左光学パネル２８としての左導光板２６２と、発光部としての右発光部６１および左発光部６２と、右イヤホン３２と、左イヤホン３４とを備えている。
【００３９】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１を含んでいる。なお、右バックライト制御部２０１と、右ＬＣＤ制御部２１１と、右バックライト２２１と、右ＬＣＤ２４１とを総称して「画像光生成部」とも呼ぶ。
【００４０】
受信部５３は、制御部１０と、画像表示部２０との間におけるシリアル伝送のためのレシーバーとして機能する。右バックライト制御部２０１は、入力された制御信号に基づいて、右バックライト２２１を駆動する機能を有する。右バックライト２２１は、例えば、ＬＥＤ等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データとに基づいて、右ＬＣＤ２４１を駆動する機能を有する。右ＬＣＤ２４１は、複数の画素をマトリクス状に配置した透過型液晶パネルである。
【００４１】
図３は、画像光生成部によって画像光が射出される様子を示す説明図である。右ＬＣＤ２４１はマトリクス状に配置された各画素位置に対応する液晶を駆動することによって、右ＬＣＤ２４１を透過する光の透過率を変化させることにより、右バックライト２２１から照射される照明光ＩＬを、画像を表す有効な画像光ＰＬへと変調する機能を有する。なお、図３のように、本実施例ではバックライト方式を採用することとしたが、フロントライト方式や、反射方式を用いて画像光を射出する構成としてもよい。
【００４２】
図２の右投写光学系２５１は、右ＬＣＤ２４１から射出された画像光を並行状態の光束にするコリメートレンズによって構成される。右光学パネル２６としての右導光板２６１は、右投写光学系２５１から出力された画像光を、所定の光路に沿って反射させつつ使用者の右眼に導く。なお、右投写光学系２５１と右導光板２６１とを総称して「導光部」とも呼ぶ。
【００４３】
左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２を含んでいる。なお、左バックライト制御部２０２と、左ＬＣＤ制御部２１２と、左バックライト２２２と、左ＬＣＤ２４２とを総称して「画像光生成部」と、左投写光学系２５２と、左導光板２６２とを総称して「導光部」とも呼ぶ。右表示駆動部２２と左表示駆動部２４とは対になっており、左表示駆動部２４の各部は、右表示駆動部２２で説明する各部と同様の構成および動作を有するため詳細な説明は省略する。
【００４４】
図４は、使用者に認識される虚像の一例を示す説明図である。上述のようにして、ヘッドマウントディスプレイＨＭの使用者の両眼に導かれた画像光が使用者の網膜に結像することにより、使用者は虚像を視認することができる。図４に示すように、ヘッドマウントディスプレイＨＭの使用者の視野ＶＲ内には虚像ＶＩが表示される。また、使用者の視野ＶＲのうち、虚像ＶＩが表示された部分以外については、使用者は、右光学パネル２６および左光学パネル２８を透過して、外景ＳＣを見ることができる。なお、本実施例のヘッドマウントディスプレイＨＭでは、使用者の視野ＶＲの内の虚像ＶＩが表示された部分についても、虚像ＶＩの背後に外景ＳＣが透けて見えるようになっている。
【００４５】
図５は、基準情報ＣＩ（図２）の一例を示す説明図である。基準情報ＣＩは、向き検知部１４５が実行する向き判定処理において用いられる情報である。なお、基準情報ＣＩは、予め用意され、記憶部１２０内に格納されている。基準情報ＣＩは、垂直方向値と、水平方向値と、右発光部検出値と、左発光部検出値とを含んでいる。
【００４６】
垂直方向値には、画像表示部２０が垂直方向（鉛直方向）に対してどれだけ移動したかを数値で示す値が格納されている。同様に、水平方向値には、画像表示部２０が水平方向に対してどれだけ移動したかを数値で示す値が格納されている。図５に示す基準情報ＣＩでは、垂直方向と、水平方向値との組合せで、画像表示部２０が、予め定められた基準点に対してどれだけ移動したかを示す「移動量」を表している。
【００４７】
右発光部検出値には、垂直方向値と水平方向値により定まる移動量に対応付けられて、当該移動量の場合に受光部６３によって検出される赤外線ＲＲ（右発光部６１によって発光される非可視光）の輝度を示す値が格納されている。同様に、左発光部検出値には、垂直方向値と水平方向値により定まる移動量に対応付けられて、当該移動量の場合に受光部６３によって検出される赤外線ＲＬ（左発光部６２によって発光される非可視光）の輝度を示す値が格納されている。
【００４８】
図６は、基準情報ＣＩを説明するための説明図である。図６では、画像表示部２０が予め定められた基準点ＢＰを向いている場合を示している。図のように、本実施例では、予め定められた基準点ＢＰを、画像表示部２０を装着した使用者の頭がまっすぐ前を向いている状態における、画像表示部２０の向きとしている。また、本実施例では、受光部６３が設けられた中継部本体４６は、使用者の身体の中央付近に保持されるものとしている。本実施例では、上述のような基準点ＢＰに対する画像表示部２０の移動量を、以下の規則に則って表わす。画像表示部２０の水平方向ＨＬの移動量については、画像表示部２０が基準点ＢＰよりも右側に移動した場合を−方向、画像表示部２０が基準点ＢＰよりも左側に移動した場合を＋方向とし、移動の大きさを数値で表わす。同様に、画像表示部２０の垂直方向ＰＬの移動量については、画像表示部２０が基準点ＢＰよりも上側に移動した場合を−方向、下側に移動した場合を＋方向とし、移動の大きさを数値で表わす。
【００４９】
図５のレコードＲ０１は、画像表示部２０が図６に示した状態である場合の移動量と受光部６３によって検出される輝度との関係を表している。具体的には、レコードＲ０１は、画像表示部２０が基準点ＢＰを向いている、すなわち、画像表示部２０の水平方向ＨＬの移動量と、垂直方向ＰＬの移動量が共に０である場合に、受光部６３による赤外線ＲＲの検出値と、赤外線ＲＬの検出値は、それぞれ同じ値（１２８）であることを示している。これは、図６のように、画像表示部２０が基準点ＢＰを向いている場合、右発光部６１から照射される赤外線ＲＲと、左発光部６２から照射される赤外線ＲＬとは、均等に受光部６３に入光するためである。
【００５０】
図７は、基準情報ＣＩを説明するための他の説明図である。図７では、画像表示部２０が予め定められた基準点ＢＰからずれている場合を示している。図５のレコードＲ０２は、画像表示部２０が図７に示した状態である場合の移動量と受光部６３によって検出される輝度との関係を表している。具体的には、レコードＲ０２は、画像表示部２０が基準点ＢＰよりも水平方向ＨＬに対して右側（−方向）を向いている、すなわち、画像表示部２０の水平方向ＨＬの移動量が−１０であり、垂直方向ＰＬの移動量が共に０である場合に、受光部６３による赤外線ＲＲの検出値は１１２、赤外線ＲＬの検出値は１４４であることを示している。これは、図７のように、画像表示部２０が基準点ＢＰよりも水平方向ＨＬに対して右側（−方向）を向いている場合、右発光部６１から照射される赤外線ＲＲよりも、左発光部６２から照射される赤外線ＲＬの方が受光部６３に近くなるため、赤外線ＲＬが強く入光するためである。
【００５１】
図８は、受光部６３による赤外線ＲＲ、ＲＬの検出値と、画像表示部２０の移動量の関係の一例を示すグラフである。図５に示した基準情報ＣＩでは、図８のようなグラフに基づいて、水平方向ＨＬ（＋方向、−方向）と、垂直方向ＰＬ（＋方向、−方向）の種々の組合せ（例えば、水平方向ＨＬが＋５、垂直方向ＰＬが＋１０）に対して、受光部６３によって検出される赤外線ＲＲおよび赤外線ＲＬの輝度を示す値が予め格納されている。このようにすれば、基準情報ＣＩには、画像表示部２０の基準点ＢＰに対する様々な向きの移動量と、その時の受光部６３によって検出される赤外線ＲＲ、ＲＬの輝度との情報を保持しておくことができる。
【００５２】
（Ａ−２）向き判定処理：
図９は、向き判定処理の手順を示すフローチャートである。向き判定処理は、向き検知部１４５によって定期的に実行されてもよいし、また、向き検知部１４５が受光部６３から取得した赤外線輝度信号（受光部６３が検出した赤外線ＲＲ、ＲＬの輝度を表わす信号）に変更が生じた際に実行されてもよい。
【００５３】
まず、向き検知部１４５は、受光部６３の検出値を取得する（ステップＳ１０２）。具体的には、向き検知部１４５は、受光部６３から出力される赤外線輝度信号から、赤外線ＲＲの輝度と、赤外線ＲＬの輝度とを取得する。次に、向き検知部１４５は、基準情報ＣＩ（図５）を参照する（ステップＳ１０４）。向き検知部１４５は、参照した基準情報ＣＩに基づいて、垂直方向値と水平方向値を求める（ステップＳ１０６）。具体的には、向き検知部１４５は、ステップＳ１０２で取得した赤外線ＲＲの輝度を示す値と、赤外線ＲＬの輝度を示す値とをキーとして、基準情報ＣＩの右発光部検出値と、左発光部検出値とを検索し、一致するレコードを求める。向き検知部１４５は、一致するレコードの垂直方向値と、水平方向値とを、画像表示部２０の移動量（すなわち、画像表示部２０の向き）であるものと決定し、処理を終了する。なお、基準情報ＣＩから一致するレコードを検索する際、相互の値が完全一致するレコードを求めるのではなく、相互の値が最も近いレコードを求めることとしてもよい。
【００５４】
図１０は、画像表示部２０の向きに応じて行われる制御の一例を示す説明図である。制御部１０の画像処理部１６０は、向き判定処理で求められた画像表示部２０の移動量（すなわち、画像表示部２０の向き）を取得する。画像処理部１６０は、取得した画像表示部２０の移動量に応じて、コンテンツ中の画像ＰＴから生成される画像データＤａｔａから、その一部の領域をトリミングするように垂直同期信号ＶＳｙｎｃと水平同期信号ＨＳｙｎｃとを調整する。具体的には、例えば、垂直同期信号ＶＳｙｎｃと水平同期信号ＨＳｙｎｃとに対して、ダミーラインデータとダミードットデータを挿入することで、垂直同期信号ＶＳｙｎｃと水平同期信号ＨＳｙｎｃとを調整することができる。この結果、図４に示す使用者の視野ＶＲ内には、画像ＰＴのうちの一部の領域が虚像ＶＩとして表示される。
【００５５】
図１０（Ａ）は、画像表示部２０の移動量が、水平方向値、垂直方向値共に０である場合に、画像処理部１６０によってトリミングされる領域の例を示している。このように、画像表示部２０が基準点ＢＰを向いている場合は、コンテンツ中の画像ＰＴの中央部分の領域が虚像ＶＩとして表示される。図１０（Ｂ）は、画像表示部２０の移動量が、水平方向値が０、垂直方向値が−２５である場合に、画像処理部１６０によってトリミングされる領域の例を示している。このように、画像表示部２０が基準点ＢＰよりも上を向いている場合は、コンテンツ中の画像ＰＴの中央上部分の領域が虚像ＶＩとして表示される。図１０（Ｃ）は、画像表示部２０の移動量が、水平方向値が＋２５、垂直方向値が０である場合に、画像処理部１６０によってトリミングされる領域の例を示している。このように、画像表示部２０が基準点ＢＰよりも左を向いている場合は、コンテンツ中の画像ＰＴの左中央部分の領域が虚像ＶＩとして表示される。
【００５６】
なお、制御部１０の画像処理部１６０は、垂直同期信号ＶＳｙｎｃと水平同期信号ＨＳｙｎｃの調整に代えて、画像ＰＴの一部を予めトリミングした画像データＤａｔａを生成することとしてもよい。
【００５７】
このようにすれば、制御部１０の画像処理部１６０は、向き検知部１４５によって検知された画像表示部２０の移動量（すなわち、画像表示部２０の向き）に応じて、画像データＤａｔａから、その一部の領域をトリミングして画像を生成するように、画像表示部２０（具体的には、右ＬＣＤ２４１、左ＬＣＤ２４２）を制御する。このため、本実施例におけるヘッドマウントディスプレイＨＭによれば、画像表示部２０の向き、すなわち、使用者の頭の向きに応じて、使用者に視認させる虚像ＶＩを変化させることができる。この結果、使用者は臨場感溢れる画像表示を楽しむことができる。
【００５８】
なお、上記では、画像表示部２０が右発光部６１と、左発光部６２とを備え、中継部４０が受光部６３を備えるものとして記載した。しかし、これらの配置はあくまで一例であり、例えば、逆に配置してもよい。具体的には、画像表示部２０の右発光部６１に代えて右受光部を備え、左発光部６２に代えて左受光部を備え、中継部４０の受光部６３に代えて発光部を備えるものとしても良い。このような構成としても、向き検知部１４５は、右受光部と、左受光部とが受光した非可視光の輝度によって、画像表示部２０の移動量を検知することができる。なお、右受光部および左受光部の構成は受光部６３と同様、発光部の構成は右発光部６１と同様である。
【００５９】
以上のように、第１実施例によれば、画像表示部２０と中継部４０のうちのいずれか一方には非可視光（赤外線ＲＲ、ＲＬ）を射出可能な発光部（右発光部６１、左発光部６２）を有し、他方には射出された非可視光を受光可能な受光部（受光部６３）を有し、向き検知部１４５は、受光部からの出力信号（赤外線輝度信号）を用いて画像表示部２０の受光部に対する向きを検知するため、頭部装着型表示装置（ヘッドマウントディスプレイＨＭ）は、発光部と受光部のみの簡単な構成で画像表示部２０の向き（すなわち、使用者の頭の向き）を検知することができる。上記実施例では、発光部は赤外線発光ダイオードにより構成され、受光部は赤外線フォトダイオードを用いて構成されているため、角速度センサー等を搭載する場合に比べて、装置の小型化、軽量化を図ることができる。これらの結果、使用者の頭の向きを検知可能であり、かつ、頭部装着型表示装置の重量の増加や大型化を抑制することで装着感の良い頭部装着型表示装置を提供することができる。  
【００６０】
さらに、第１実施例では、発光部（右発光部６１、左発光部６２）として赤外線を射出する赤外線発光部を用い、受光部（受光部６３）として射出された赤外線を受光する赤外線受光部を用いるため、頭部装着型表示装置を低コストで実現することができる。
【００６１】
さらに、第１実施例では、受光部６３は、画像表示部２０の本体表面であって、受光部６３の側に非可視光を射出可能な位置にそれぞれ配置された２つの発光部（右発光部６１、左発光部６２）から射出された波長の異なる非可視光（赤外線ＲＲ、ＲＬ）をそれぞれ受光することができるため、向き検知部１４５は、受光部６３からの出力信号を用いて、画像表示部２０（すなわち、使用者の頭）の上下左右方向の向きを検知することが可能となる。
【００６２】
Ｂ．第２実施例：
本発明の第２実施例では、頭部装着型表示装置が備える発光部と受光部の個数が異なる構成について説明する。以下では、第１実施例と異なる構成および動作を有する部分についてのみ説明する。なお、図中において第１実施例と同様の構成部分については先に説明した第１実施例と同様の符号を付し、その詳細な説明を省略する。
【００６３】
（Ｂ−１）頭部装着型表示装置の構成：
図１１は、第２実施例におけるヘッドマウントディスプレイＨＭａの外観の構成を示す説明図である。図１および図６に示した第１実施例との違いは、画像表示部２０が左発光部６２（なお、右発光部６１でもよい）を備えない点と、記憶部１２０内部に格納されている基準情報ＣＩａ（図２）の構成のみであり、他の構成や動作は第１実施例と同じである。
【００６４】
図１２は、第２実施例における基準情報ＣＩａ（図２）の一例を示す説明図である。図５に示した第１実施例との違いは、垂直方向値と、左発光部検出値を備えない点のみである。図１２のように、第２実施例の基準情報ＣＩａでは、垂直方向値によって、画像表示部２０が、予め定められた基準点ＢＰに対して水平方向にどれだけ移動したかを示す移動量を表している。
【００６５】
（Ｂ−２）向き判定処理：
第２実施例における待ち受け処理の手順は、図９で説明した第１実施例と同様である。
【００６６】
以上のように、第２実施例によれば、発光部は、画像表示部２０の本体表面であって、受光部６３の側に非可視光を射出可能な位置に１つ配置すればよい。発光部が１つしか必要ないため、本実施例の頭部装着型表示装置（ヘッドマウントディスプレイＨＭａ）では、垂直方向ＰＬの移動量が検知できない。その一方で、本実施例によれば、使用者の頭の向きを検知可能な頭部装着型表示装置を、より低コストで実現することができる。
【００６７】
Ｃ．第３実施例：
本発明の第３実施例では、頭部装着型表示装置が備える発光部と受光部の構成が異なる構成について説明する。以下では、第１実施例と異なる構成および動作を有する部分についてのみ説明する。なお、図中において第１実施例と同様の構成部分については先に説明した第１実施例と同様の符号を付し、その詳細な説明を省略する。
【００６８】
（Ｃ−１）頭部装着型表示装置の構成：
図１３は、第３実施例におけるヘッドマウントディスプレイＨＭｂの外観の構成を示す説明図である。図１および図６に示した第１実施例との違いは、画像表示部２０が右発光部６１と左発光部６２に代えて発光部６４を備える点と、中継部４０が受光部６３に代えて受光部６５を備える点と、記憶部１２０内部に格納されている基準情報ＣＩｂ（図２）の構成のみであり、他の構成や同際は第１実施例と同じである。
【００６９】
発光部６４は、画像表示部２０の本体表面であって、受光部６５の側に非可視光を射出可能な位置には位置されている。具体的には、本実施例では、発光部６４は、眼鏡形状を有する画像表示部２０のブリッジ部分の下面に配置されている。発光部６４は指向性を有する非可視光を射出する。本実施例における発光部６４は、赤外線発光ダイオードにより構成され、非可視光である赤外線ＲＭを発光する。受光部６５は、中継部本体４６のうち、発光部６４に向かう位置（換言すれば、中継部本体４６の上面）に配置されている。受光部６５は、発光部６４から射出された指向性を有する非可視光を面で受光する。
【００７０】
図１４は、受光部６５が赤外線ＲＭを受光する様子を示す説明図である。第３実施例における基準情報ＣＩｂでは、受光部６５の受光面における赤外線ＲＭの水平方向ＨＬの移動により、水平方向値が求められる。また、受光部６５の受光面における赤外線ＲＭの検知面積により、垂直方向値が求められる。具体的には、赤外線ＲＭの検知面積が大きければ、光源（発光部６４）が遠くにある、すなわち、画像表示部２０が受光部６５から遠ざかる方向に移動していることになる。同様に、赤外線ＲＭの検知面積が小さければ、光源（発光部６４）が近くにある、すなわち、画像表示部２０が受光部６５に近づく方向に移動していることになる。
【００７１】
図１４（Ａ）は、画像表示部２０の移動量が、水平方向値、垂直方向値共に０である場合において、受光部６５が受光する赤外線ＲＭを示している。図１４（Ｂ）は、画像表示部２０の移動量が、水平方向値が−１５、垂直方向値が０である場合において、受光部６５が受光する赤外線ＲＭを示している。図１４（Ｃ）は、画像表示部２０の移動量が、水平方向値が０、垂直方向値が＋２０である場合において、受光部６５が受光する赤外線ＲＭを示している。
【００７２】
（Ｃ−２）向き判定処理：
第３実施例における待ち受け処理の手順は、図９で説明した第１実施例と同様である。
【００７３】
以上のように、第３実施例によれば、受光部６５は、発光部６４から射出された指向性を有する非可視光（赤外線ＲＭ）を面で受光することが可能であるため、１つの発光部６４を備える構成においても、第１実施例と同様に、画像表示部２０（すなわち、使用者の頭）の上下左右方向の向きを検知することが可能となる。
【００７４】
Ｄ．変形例：
なお、この発明は上記の実施例や実施形態に限られるものではなく、その要旨を逸脱しない範囲で種々の構成をとることができる。例えば、ソフトウェアによって実現した機能は、ハードウェアによって実現するものとしてもよい。また、上記実施例で説明した機能の一部は他の装置（例えば、ネットワーク経由で接続されるサーバー等）によって実現されるものとしても良い。そのほか、以下のような変形が可能である。
【００７５】
Ｄ１．変形例１：
上記実施例では、ヘッドマウントディスプレイの構成について例示した。しかし、ヘッドマウントディスプレイの構成は、本発明の要旨を逸脱しない範囲において任意に定めることが可能であり、例えば、各構成部の追加・削除・変換等を行うことができる。
【００７６】
上記実施例では、説明の便宜上、制御部が送信部（５１、５２）を備え、画像表示部が受信部（５３、５４）を備えるものとした。しかし、上記実施例の送信部（５１、５２）および受信部（５３、５４）は、いずれも、双方向通信が可能な機能を備えており、送受信部として機能することができる。
【００７７】
例えば、図１５に示すように、接続部を省略し、制御部と、画像表示部とが無線通信可能な構成としてもよい。具体的には、制御部にさらに、無線通信部（８１）を備えると共に、画像表示部にさらに、無線通信部（８２）と、電源（２８０）とを備える構成とする。この場合、無線通信部８１が上記実施例における送信部（５１、５２）として機能し、無線通信部８２が上記実施例における受信部（５３、５４）として機能する。
【００７８】
例えば、図１に示した構成において、右コードと、左コードとの分岐を省略してもよい。その場合、中継部（４０）は、１本のコードと、当該１本のコードの中央部周辺に設けられた中継部本体と、中継部本体に設けられた受光部と、から構成される。
【００７９】
例えば、図１に示した制御部、画像表示部の構成は任意に変更することができる。具体的には、例えば、制御部からタッチパネルを省略し、十字キーのみで操作する構成としてもよい。また、制御部に操作用スティック等の他の操作用インターフェイスを備えても良い。また、制御部にはキーボードやマウス等のデバイスを接続可能な構成として、キーボードやマウスから入力を受け付けるものとしてもよい。また、制御部にＷｉ−Ｆｉ（wireless fidelity）等を用いた通信部を設けてもよい。
【００８０】
例えば、図１に示した制御部は、有線の信号伝送路を介して画像表示部と接続されているものとした。しかし、制御部と、画像表示部とは、無線ＬＡＮや赤外線通信やＢｌｕｅｔｏｏｔｈ（登録商標）等の無線の信号伝送路を介した接続により接続されていてもよい。
【００８１】
例えば、ヘッドマウントディスプレイは、両眼タイプの透過型ヘッドマウントディスプレイであるものとしたが、使用者がヘッドマウントディスプレイを装着した状態において外景が遮断される非透過型ヘッドマウントディスプレイとして構成してもよい。また、単眼タイプのヘッドマウントディスプレイとしてもよい。
【００８２】
例えば、画像光生成部は、左右のバックライト制御部と、左右のＬＣＤ制御部と、左右のバックライトと、左右のＬＣＤとを用いて構成されるものとしたが、これらに代えて、有機ＥＬ（有機エレクトロルミネッセンス、Organic Electro-Luminescence）と、有機ＥＬ制御部とを用いても良い。有機ＥＬの場合、温度上昇に伴う劣化がＬＣＤよりも激しいため、本発明が特に有効である。なお、有機ＥＬおよび有機ＥＬ制御部は請求項における「画像光生成部」に相当する。
【００８３】
例えば、画像処理部、表示制御部、音声処理部等の機能部は、ＣＰＵがＲＯＭやハードディスクに格納されているコンピュータープログラムをＲＡＭに展開して実行することにより実現されるものとして記載した。しかし、これら機能部は、当該機能を実現するために設計されたＡＳＩＣ（Application Specific Integrated Circuit：特定用途向け集積回路）を用いて構成されてもよい。
【００８４】
例えば、上記実施例では、画像表示部を眼鏡のように装着するヘッドマウントディスプレイであるとしているが、画像表示部が通常の平面型ディスプレイ装置（液晶ディスプレイ装置、プラズマディスプレイ装置、有機ＥＬディスプレイ装置等）であるとしてもよい。この場合にも、制御部と画像表示部との間の接続は、有線の信号伝送路を介した接続であってもよいし、無線の信号伝送路を介した接続であってもよい。このようにすれば、制御部を、通常の平面型ディスプレイ装置のリモコンとして利用することができる。
【００８５】
また、画像表示部として、眼鏡のように装着する画像表示部に代えて、例えば帽子のように装着する画像表示部といった他の形状の画像表示部を採用してもよい。また、イヤホンは耳掛け型やヘッドバンド型を採用してもよく、省略しても良い。
【００８６】
例えば、上記実施例では、電源として二次電池を用いることしたが、電源としては二次電池に限らず、種々の電池を使用することができる。例えば、一次電池や、燃料電池、太陽電池、熱電池等を使用してもよい。
【００８７】
Ｄ２．変形例２：
上記実施例において、画像処理部は、同じ画像データを右眼用画像データおよび左眼用画像データとして出力することとした。しかし、画像処理部は、右眼用画像データと、左眼用画像データとを、異なる画像データにすることで、使用者に３Ｄの虚像を視認させることが可能な構成としてもよい。
【００８８】
また、向き検知部は、右眼用画像データと左眼用画像データが同じ画像データである場合（２Ｄモードと呼ぶ）と、右眼用画像データと左眼用画像データが異なる画像データである場合（３Ｄモードと呼ぶ）とを切り替え可能な構成において、３Ｄモードが選択された際に、向き判定処理（図９）を実行してもよい。
【００８９】
Ｄ３．変形例３：
上記実施例では、画像表示部の向きを検知するための発光部と、受光部の配置や構成の一例を示した。しかし、上記実施例における発光部と受光部の配置や構成はあくまで一例であり、種々の変更が可能である。
【００９０】
例えば、上記実施例では、画像表示部が発光部を備え、中継部が受光部を備えるものとした。しかし、これらの配置は逆でもよい。すなわち、画像表示部が受光部を備え、中継部が発光部を備える構成としてもよい。
【００９１】
例えば、発光部から射出される非可視光を予め定められた特定の波長とすることで、画像表示部の認証を行ってもよい。
【００９２】
Ｄ４．変形例４：
上記実施例では、画像表示部の向きに応じて行われる制御の一例として、画像処理部が、検知された画像表示部の移動量（すなわち、画像表示部の向き）に応じて、画像データＤａｔａからその一部の領域をトリミングして画像を生成するよう、画像表示部を制御する例を挙げた。しかし、上記はあくまで一例であり、向き検知部が検知した画像表示部の向きは、種々の制御に用いることができる。
【００９３】
例えば、制御部は、向き検知部が検知した画像表示部の向き（すなわち、使用者の頭の向き）の履歴を取得した上で、この履歴を用いて、画像表示部をモーションコントローラーのように使用することも可能である。
【符号の説明】
【００９４】
１０…制御部（コントローラー）
１２…点灯部
１４…タッチパッド
１６…十字キー
１８…電源スイッチ
２０…画像表示部
２１…耳掛部
２２…右表示駆動部
２４…左表示駆動部
２６…右光学パネル
２８…左光学パネル
３２…右イヤホン
３４…左イヤホン
４０…中継部
４２…右コード
４４…左コード
４６…中継部本体
４８…本体コード
５１…送信部
５２…送信部
５３…受信部
５４…受信部
６１…右発光部（発光部）
６２…左発光部（発光部）
６３…受光部
６４…発光部
６５…受光部
８１…無線通信部
８２…無線通信部
１１０…入力情報取得部
１２０…記憶部
１３０…電源
１４０…ＣＰＵ
１４５…向き検知部
１６０…画像処理部
１７０…音声処理部
１８０…インターフェイス
１９０…表示制御部
２０１…右バックライト制御部（画像光生成部）
２０２…左バックライト制御部（画像光生成部）
２１１…右ＬＣＤ制御部（画像光生成部）
２１２…左ＬＣＤ制御部（画像光生成部）
２２１…右バックライト（画像光生成部）
２２２…左バックライト（画像光生成部）
２４１…右ＬＣＤ（画像光生成部）
２４２…左ＬＣＤ（画像光生成部）
２５１…右投写光学系（導光部）
２５２…左投写光学系（導光部）
２６１…右導光板（導光部）
２６２…左導光板（導光部）
ＶＳｙｎｃ…垂直同期信号
ＨＳｙｎｃ…水平同期信号
Ｄａｔａ…画像データ
ＯＡ…外部機器
ＰＣ…パーソナルコンピューター
ＳＣ…外景
ＶＩ…虚像
ＨＭ、ＨＭａ、ＨＭｂ…ヘッドマウントディスプレイ（頭部装着型表示装置）
ＶＲ…視野
ＲＲ…赤外線
ＲＬ…赤外線
ＣＩ…基準情報
ＨＬ…水平方向
ＰＬ…垂直方向
ＢＰ…基準点
ＰＬ…画像光
ＩＬ…照明光
【図１】
0005742355.tif 000002
【図２】
0005742355.tif 000003
【図３】
0005742355.tif 000004
【図４】
0005742355.tif 000005
【図５】
0005742355.tif 000006
【図６】
0005742355.tif 000007
【図７】
0005742355.tif 000008
【図８】
0005742355.tif 000009
【図９】
0005742355.tif 000010
【図１０】
0005742355.tif 000011
【図１１】
0005742355.tif 000012
【図１２】
0005742355.tif 000013
【図１３】
0005742355.tif 000014
【図１４】
0005742355.tif 000015
【図１５】
0005742355.tif 000016